(57)【要約】【課題】通信品質制御機能を有する通信装置に関し、伝搬環境や実際に伝送されたパラメータが変化した場合でも、適切なフィードバック情報（ＣＱＩ）を基地局に報告し、通信品質を精度良く一定に制御する。【解決手段】移動局において下りチャネルの回線品質を測定部１−４で測定し、その測定結果を基にフィードバック情報を生成して基地局へ報告し、基地局では該フィードバック情報及び無線リソース状況等に基づき、次に送信するデータブロックの伝送パラメータ（符号化率や変調方式等）を決定してデータブロックを送信する。移動局において受信したデータブロックの誤り検出結果（ＡＣＫ／ＮＡＣＫ）を、フィードバック情報と実際の伝送パラメータとの違いに応じた重み付けを行ってＡＣＫ／ＮＡＣＫカウント部１−１２でカウントし、該カウント値を基に、下り回線の品質測定値をフィードバック情報に変換する変換テーブル１−７を更新する。【選択図】      図1
2005064963.tif 000002
【特許請求の範囲】
【請求項１】
基地局から移動局への伝送方向の下りリンクの回線品質を測定し、該測定値に対応したフィードバック情報を、予め設定した回線品質しきい値とフィードバック情報とを対応させて格納した変換テーブルを参照して生成し、該生成したフィードバック情報を基地局に報告し、基地局で該フィードバック情報を基に決定される伝送パラメータで伝送されるデータブロックを受信し、適応的に通信品質を制御する移動通信システムの移動局に用いられる通信装置において、
前記基地局で決定された伝送パラメータで伝送されるデータブロックの正常受信又は非正常受信の回数を、前記フィードバック情報と実際に伝送に使用された伝送パラメータとの違いに応じた尤度に基づく重み付けを行ってカウントする正常／非正常受信回数カウント手段と、
重み付けを行った正常受信の回数のカウント値が予め設定した設定値以上になったときに前記回線品質しきい値を減少させ、重み付けを行った非正常受信の回数のカウント値が予め設定した設定値以上になったときに、前記変換テーブルの回線品質しきい値を増加させる回線品質しきい値更新手段と
を備えたことを特徴とする通信品質制御機能を有する通信装置。
【請求項２】
前記回線品質しきい値を減少させる更新を行ったとき、前記正常受信の回数のカウント値及び非正常受信の回数のカウント値の両者又は正常受信の回数のカウント値のみをリセットし、前記回線品質しきい値を増加させる更新を行ったとき、前記正常受信の回数のカウント値及び非正常受信の回数のカウント値の両者又は非正常受信の回数のカウント値のみをリセットする手段を備えたことを特徴とする請求項１に記載の通信品質制御機能を有する通信装置。
【請求項３】
前記正常／非正常受信回数カウント手段は、再送データブロックについての正常受信又は非正常受信の回数をカウント値に反映させることなく、新規データブロックについての正常受信又は非正常受信の回数をカウント値に反映させることを特徴とする請求項１又は２に記載の通信品質制御機能を有する通信装置。
【請求項４】
前記正常／非正常受信回数カウント手段は、再送データブロックについての正常受信の回数を、新規データブロックについての正常受信の回数に対する重み値より小さい重み値を付してカウントし、再送データブロックについての非正常受信の回数を、新規データブロックについての非正常受信の回数に対する重み値より大きい重み値を付してカウントすることを特徴とする請求項１又は２に記載の通信品質制御機能を有する通信装置。
【請求項５】
前記正常／非正常受信回数カウント手段は、アンテナ端でのデータブロックの受信から、データブロックの正常受信又は非正常受信の回数の重み付けを行ったカウント値を基に、前記回線品質しきい値の更新が変換テーブルに反映されるまでの遅延時間内に受信されるデータブロックについての正常受信又は非正常受信の回数をカウント値に反映させないように制御する手段を備えたことを特徴とする請求項１乃至４の何れかに記載の通信品質制御機能を有する通信装置。
【発明の詳細な説明】
【技術分野】
【０００１】
本発明は、通信品質制御機能を有する通信装置に関する。第３世代移動通信方式に採用されているＷ−ＣＤＭＡ（Wide band Code Division Multiple Access）方式では、移動局から基地局への通信方向の上りリンク及び基地局から移動局への通信方向の下りリンクにおいて、３８４ｋｂｐｓの高速データ通信が可能である。第３世代移動通信方式の標準化機関である３ＧＰＰ（3rd Generation Partnership Project）では、更に高速の通信速度を提供する方式として、ＨＳＤＰＡ（High Speed Downlink Packet Access）方式を規定している。
【０００２】
ＨＳＤＰＡ方式は、基地局から移動局への下りリンクにおいて、高速の通信サービスを提供するものであり、これにより第３世代移動通信方式は更に大容量のマルチメディア情報の高速伝送を可能にする。ＨＳＤＰＡ方式では、誤り訂正技術と自動再送要求（ＡＲＱ：Automatic Repeat reQuest）の技術とを組み合わせたＨ−ＡＲＱ（Hybrid ARQ）方式や、無線回線の状態に応じて変調方式や誤り訂正符号の符号化率を適応的に制御し、通信速度及び通信品質を制御する適応符号化変調（ＡＭＣ：Adaptive Modulation and Coding又はＭＣＣ：Modulation and Coding Control）の技術が用いられる。
【０００３】
Ｈ−ＡＲＱ方式では、誤り訂正復号処理を行ってもデータブロックの誤りを訂正し切れない場合に、基地局に対して再送要求を行うとともに、先の誤り訂正復号処理に用いた信号をバッファに一時的に蓄積しておき、後に再送された信号とバッファに蓄積しておいた信号とを合成して誤り訂正復号処理に用いる。
【０００４】
適応符号化変調では、移動局において下りリンクの回線品質を測定し、その測定値に応じたフィードバック情報を基地局へ報告し、基地局は移動局からのフィードバック情報及び無線リソース（送信電力，拡散コード等）の使用／空き状況や送信データの優先度等を基に、次に送信するデータブロックの下りリンクの伝送パラメータ（符号化率、変調方式等）を制御する。本発明は適切なフィードバック情報を決定して報告し、通信品質を制御する移動局等における通信装置に関する。
【背景技術】
【０００５】
上述の適応符号化変調の方式として３ＧＰＰの規定では、移動局においてＣＰＩＣＨ（Common Pilot Channel：共通パイロットチャネル）のＳＩＲ（Signal to Interference Ratio：信号対干渉電力比）を測定し、その値をＨＳ−ＰＤＳＣＨ（High Speed - Physical Downlink Shared Channel：高速下りリンク共用チャネル）のＳＩＲに換算する。この換算は、ＣＰＩＣＨ（共通パイロットチャネル）とＨＳ−ＰＤＳＣＨ（高速下りリンク共用チャネル）との送信電力の差を基に換算する。
【０００６】
換算したＳＩＲ（信号対干渉電力比）でＨＳ−ＰＤＳＣＨ（高速下りリンク共用チャネル）を受信した場合に、ＢＬＥＲ（Block Error Rate：ブロック誤り率）が０．１を超えないように、予め用意されている複数のレベルの離散化されたフィードバック情報（ＣＱＩ：Channel Quality Indicator）の候補の中から、該測定値に対応するフィードバック情報（ＣＱＩ）を選択し、それを高速上りリンク制御チャネル（ＨＳ−ＤＰＣＣＨ：High Speed - Dedicated Control Channel）を用いて基地局に報告する。
【０００７】
基地局は、移動局から報告されたフィードバック情報（ＣＱＩ）、無線リソース（送信電力，拡散コード等）の使用／空き状況、送信データの優先度等を基に、次に送信するＨＳ−ＰＤＳＣＨ（高速下りリンク共用チャネル）の伝送パラメータを決定し、データブロックの送信を行う。
【０００８】
３ＧＰＰの規定では、報告するフィードバック情報（ＣＱＩ）は約３０通りあるが、基地局で選択し得る伝送フォーマットは約１９００通りも有り、該伝送フォーマットとフィードバック情報（ＣＱＩ）とは１対１に対応していない。そのため、基地局から報告したフィードバック情報（ＣＱＩ）に最も適した伝送フォーマットを基地局が選択してＨＳ−ＰＤＳＣＨ（高速下りリンク共用チャネル）のデータブロックを送信するとは限らない。
【０００９】
フィードバック情報（ＣＱＩ）の報告について３ＧＰＰの規定では、報告するフィードバック情報（ＣＱＩ）に対応する伝送パラメータで送信されたＨＳ−ＰＤＳＣＨ（高速下りリンク共用チャネル）を受信した場合に、ＢＬＥＲ（ブロック誤り率）が０．１を超えないように、フィードバック情報（ＣＱＩ）を報告すると規定されているが、フィードバック情報（ＣＱＩ）の具体的な生成法については規定されていない。
【００１０】
フィードバック情報（ＣＱＩ）を決定する単純な方法としては、測定したＳＩＲ（信号対干渉電力比）からフィードバック情報（ＣＱＩ）が一義的に定まるＳＩＲのしきい値とフィードバック情報（ＣＱＩ）との対応を予め定義したテーブルを用意しておき、測定したＳＩＲを該テーブルの参照によりフィードバック情報（ＣＱＩ）に変換する。
【００１１】
３ＧＰＰで規定されているＨＳＤＰＡ関連の各物理チャネルのタイミングチャートを図１７に示す。ＣＰＩＣＨ（共通パイロットチャネル）及びＰ−ＣＣＰＣＨ（Primary-Common Control Physical Channel：第１共通制御チャネル）の１フレームは１５スロットから成る。ＨＳ−ＳＣＣＨ（High Speed−Shared Control Channel：高速共用制御チャネル），ＨＳ−ＰＤＳＣＨ（高速下りリンク共用チャネル）及びＨＳ−ＤＰＣＣＨ（High Speed−Dedicated Physical Control Channel：高速上りリンク制御チャネル）は、３スロットから成る１サブフレームを１単位として伝送される。
【００１２】
ＨＳ−ＳＣＣＨ（高速共用制御チャネル）は、ＨＳ−ＰＤＳＣＨ（高速下りリンク共用チャネル）の伝送に用いる拡散コード、変調方式、ブロックサイズ、再送制御のパラメータ等、ＨＳ−ＰＤＳＣＨ（高速下りリンク共用チャネル）を受信、復号するために必要な制御情報を移動局へ伝えるための下り制御チャネルである。移動局はこのＨＳ−ＳＣＣＨ（高速共用制御チャネル）を受信して自局宛ての信号の有無を検出し、自局宛ての信号が有る場合にはＨＳ−ＰＤＳＣＨ（高速下りリンク共用チャネル）の受信に必要な情報の抽出を行う。
【００１３】
ＨＳ−ＳＣＣＨ（高速共用制御チャネル）の送信タイミングは、Ｐ−ＣＣＰＣＨ（ＣＰＩＣＨと同タイミングで送信される）のフレームを５分割したスロットの３スロット分に、ＨＳ−ＳＣＣＨ（高速共用制御チャネル）の１サブフレームがぴったり一致するタイミングで送信される。ＨＳ−ＰＤＳＣＨ（高速下りリンク共用チャネル）は、ＨＳＤＰＡにおいてユーザ情報を伝送するための下りリンクの共有チャネルであり、ＨＳ−ＰＤＳＣＨ（高速下りリンク共用チャネル）のサブフレームは、ＨＳ−ＳＣＣＨ（高速共用制御チャネル）から２スロット分遅れたタイミングで送信される。
【００１４】
ＨＳ−ＤＰＣＣＨ（高速上りリンク制御チャネル）は、移動局から基地局へ受信確認信号（ＡＣＫ／ＮＡＣＫ）及びフィードバック情報（ＣＱＩ）を報告するための上りリンク制御チャネルであり、３スロットで１サブフレームが構成される。１サブフレームの先頭の１スロットが受信確認信号（ＡＣＫ／ＮＡＣＫ）送信のために割り当てられ、後ろの２スロットがフィードバック情報（ＣＱＩ）送信のために割り当てられる。
【００１５】
受信確認信号（ＡＣＫ／ＮＡＣＫ）は、ＨＳ−ＰＤＳＣＨ（高速下りリンク共用チャネル）のサブフレームの受信完了から約７．５スロット後のＨＳ−ＤＰＣＣＨサブフレームで送信される。フィードバック情報（ＣＱＩ）は、その送信スロットの先頭よりも１スロット前に終わる３スロット分のＣＰＩＣＨ（共通パイロットチャネル）の受信測定結果を基に生成される。
【００１６】
図１７において、（１）移動局は３スロット分のＣＰＩＣＨ（共通パイロットチャネル）のＳＩＲを測定後、（２）該測定結果を基にフィードバック情報（ＣＱＩ）を生成して該フィードバック情報（ＣＱＩ）をＨＳ−ＤＰＣＣＨ（上りリンク制御チャネル）により基地局へ報告し、（３）基地局は、該フィードバック情報（ＣＱＩ）に対応した変調・符号化モードでＨＳ−ＳＣＣＨ（高速共用制御チャネル）を送信し、（４）基地局は、ＨＳ−ＳＣＣＨから２スロット遅れて、同様にフィードバック情報（ＣＱＩ）に対応した変調・符号化モードのＨＳ−ＰＤＳＣＨ（高速下りリンク共用チャネル）を送信する。
【００１７】
そして、（５）移動局は、ＨＳ−ＰＤＳＣＨ（高速下りリンク共用チャネル）を受信完了後の約７．５スロット後のＨＳ−ＤＰＣＣＨ（上りリンク制御チャネル）サブフレームで、その受信確認信号（ＡＣＫ／ＮＡＣＫ）を基地局へ送信する。なお、上記の説明において、丸括弧で囲んだ符号の動作は、図１７に丸括弧付の符号で示した物理チャネル送信タイミングに対応している。
【００１８】
受信確認信号（ＡＣＫ／ＮＡＣＫ）及びフィードバック情報（ＣＱＩ）は、必ず毎フレーム送信されるものではなく、送信すべき受信確認信号（ＡＣＫ／ＮＡＣＫ）が無い場合や、フィードバック情報（ＣＱＩ）を報告すべきタイミングでない場合には、それらの送信は停止される。つまり、ＨＳ−ＤＰＣＣＨ（上りリンク制御チャネル）の１サブフレームには、受信確認信号（ＡＣＫ／ＮＡＣＫ）及びフィードバック情報（ＣＱＩ）の両方が含まれる場合もあるし、どちらか一方のみが含まれる場合もあるし、どちらも含まれない場合もある。
【００１９】
適応符号化変調の技術は下記の特許文献１に記載されている。特許文献１に記載の適応符号化変調の技術は、移動局で測定した回線品質及びブロック単位の受信誤りを基に変調・符号化モードを決定して基地局に報告し、基地局は移動局で決定された内容に忠実に従った変調・符号化モードで送信することを前提としており、基地局で選択される変調・符号化モードが必ずしも移動局から報告されるフィードバック情報（ＣＱＩ）と１対１に対応しない（換言すると、移動局で予期している変調・符号化モードの通りに基地局が送信するとは限らない）場合の対策ついては言及されていない。
【特許文献１】特開２００３−３７５５４号公報
【発明の開示】
【発明が解決しようとする課題】
【００２０】
移動局と基地局との間の伝搬環境（例えば、移動局の移動速度やマルチパス数等）が異なる場合には、受信ＳＩＲ（信号対干渉電力比）が同じであってもＢＬＥＲ（ブロック誤り率）が同じにはならないため、前述のように予め設定しておいたＳＩＲのしきい値を用いて、測定結果のＳＩＲをフィードバック情報（ＣＱＩ）に変換しても、伝搬環境が変化した場合には、報告するフィードバック情報（ＣＱＩ）が適切なものではなくなる可能性がある。
【００２１】
また、移動局が報告するフィードバック情報（ＣＱＩ）は約３０通りであり、基地局が選択可能な伝送フォーマットは約１９００通り有るため、移動局が報告したフィードバック情報（ＣＱＩ）に必ずしも即応していない伝送フォーマットで基地局がデータブロックを送信する場合がある。従って、報告するフィードバック情報（ＣＱＩ）を伝搬環境及び実際に伝送された伝送パラメータに対応して修正する必要がある。本発明は、伝搬環境や実際に伝送されたパラメータが変化した場合でも、適切なフィードバック情報（ＣＱＩ）を報告し、高速無線通信における通信品質をより精度良く一定に保つように制御することを目的とする。
【課題を解決するための手段】
【００２２】
本発明の通信品質制御機能を有する通信装置は、（１）基地局から移動局への伝送方向の下りリンクの回線品質を測定し、該測定値に対応したフィードバック情報を、予め設定した回線品質しきい値とフィードバック情報とを対応させて格納した変換テーブルを参照して生成し、該生成したフィードバック情報を基地局に報告し、基地局で該フィードバック情報を基に決定される伝送パラメータで伝送されるデータブロックを受信し、適応的に通信品質を制御する移動通信システムの移動局に用いられる通信装置において、前記基地局で決定された伝送パラメータで伝送されるデータブロックの正常受信又は非正常受信の回数を、前記フィードバック情報と実際に伝送に使用された伝送パラメータとの違いに応じた尤度に基づく重み付けを行ってカウントする正常／非正常受信回数カウント手段と、重み付けを行った正常受信の回数のカウント値が予め設定した設定値以上になったときに前記回線品質しきい値を減少させ、重み付けを行った非正常受信の回数のカウント値が予め設定した設定値以上になったときに、前記変換テーブルの回線品質しきい値を増加させる回線品質しきい値更新手段とを備えたものである。
【００２３】
また、（２）前記回線品質しきい値を減少させる更新を行ったとき、前記正常受信の回数のカウント値及び非正常受信の回数のカウント値の両者又は正常受信の回数のカウント値のみをリセットし、前記回線品質しきい値を増加させる更新を行ったとき、前記正常受信の回数のカウント値及び非正常受信の回数のカウント値の両者又は非正常受信の回数のカウント値のみをリセットする手段を備えたものである。
【００２４】
また、（３）前記正常／非正常受信回数カウント手段は、再送データブロックについての正常受信又は非正常受信の回数をカウント値に反映させることなく、新規データブロックについての正常受信又は非正常受信の回数をカウント値に反映させることを特徴とする。
【００２５】
また、（４）前記正常／非正常受信回数カウント手段は、再送データブロックについての正常受信の回数を、新規データブロックについての正常受信の回数に対する重み値より小さい重み値を付してカウントし、再送データブロックについての非正常受信の回数を、新規データブロックについての非正常受信の回数に対する重み値より大きい重み値を付してカウントすることを特徴とする。
【００２６】
また、（５）前記正常／非正常受信回数カウント手段は、アンテナ端でのデータブロックの受信から、データブロックの正常受信又は非正常受信の回数の重み付けを行ったカウント値を基に、前記回線品質しきい値の更新が変換テーブルに反映されるまでの遅延時間内に受信されるデータブロックについての正常受信又は非正常受信の回数をカウント値に反映させないように制御する手段を備えたものである。
【発明の効果】
【００２７】
回線品質の測定結果を基に生成したフィードバック情報を基地局に報告し、基地局で決定された伝送パラメータで伝送されるデータブロックの正常受信又は非正常受信の回数を、フィードバック情報と実際に伝送に使用された伝送パラメータとの違いから予期される尤度に応じた重み付けを行ってカウントし、該カウント値に応じてフィードバック情報に対応する回線品質しきい値を更新することにより、伝搬環境が一定でない場合でも、また、先に報告したフィードバック情報と実際に基地局から伝送された伝送パラメータとにずれがある場合でも、実際の伝送特性に適合した伝送パラメータで送信させるフィードバック情報を生成することができ、通信品質を精度良く一定に保つ適応符号化変調を行うことが可能になる。
【００２８】
また、データブロックの正常受信又は非正常受信の回数を重み値を付加してカウントして、フィードバック情報に対応する回線品質しきい値を更新することにより、フィードバック情報に対応する回線品質しきい値の更新を、迅速にかつ精度良く更新することが可能になる。
【発明を実施するための最良の形態】
【００２９】
移動局で測定した下りリンクのＳＩＲ（信号対干渉電力比）からフィードバック情報（ＣＱＩ）に変換するためのＳＩＲ−ＣＱＩ変換テーブルを用意し、その変換テーブルを用いて、基地局に報告するフィードバック情報（ＣＱＩ）を決定し、移動局が報告したフィードバック情報（ＣＱＩ）と実際に受信したＨＳ−ＰＤＳＣＨ（高速下りリンク共用チャネル）の伝送パラメータ（伝送フォーマット）との違い（ずれ）に応じて、誤り検出の結果を基に生成される受信確認信号（ＡＣＫ／ＮＡＣＫ）をそれぞれ重み付けカウントし、該カウント値があるしきい値を超えた場合には、上記ＳＩＲ−ＣＱＩ変換テーブルのＳＩＲしきい値を更新する。その後は、更新したＳＩＲ−ＣＱＩ変換テーブルに従い、測定ＳＩＲから報告フィードバック情報（ＣＱＩ）への変換を行う。
【実施例１】
【００３０】
本発明の第１の実施例について図１、図２及び図３を参照して説明する。図１は本発明の第１の実施例の移動局の機能ブロック図を、図２はその処理ステップのフローチャートを、図３はその動作例のタイミングチャートを示している。
【００３１】
図１に示すように移動局は、アンテナ１−１、送受信共用器１−２、ＣＰＩＣＨ（共通パイロットチャネル）を受信処理するＣＰＩＣＨ処理部１−３、ＣＰＩＣＨ（共通パイロットチャネル）のＳＩＲ（信号対干渉電力比）を測定するＣＰＩＣＨ＿ＳＩＲ測定部１−４、ＣＰＩＣＨ（共通パイロットチャネル）のＳＩＲ（信号対干渉電力比）をＨＳ−ＰＤＳＣＨ（高速下りリンク共用チャネル）のＳＩＲに換算するＨＳ−ＰＤＳＣＨ＿ＳＩＲ変換部１−５、該ＨＳ−ＰＤＳＣＨ（高速下りリンク共用チャネル）のＳＩＲを基にＳＩＲ−ＣＱＩ変換テーブル１−７を参照してフィードバック情報（ＣＱＩ）を生成するＣＱＩ生成部１−６を備え、図２の処理ステップ２−１〜処理ステップ２−３により、フィードバック情報（ＣＱＩ）を設定する。
【００３２】
また、移動局は、基地局から送られてくるＨＳ−ＳＣＣＨ（高速共用制御チャネル）を受信し、自局宛ての信号の有無を検出する。自局宛ての信号が有る場合には、受信すべきＨＳ−ＰＤＳＣＨ（高速下りリンク共用チャネル）の伝送パラメータを、ＨＳ−ＳＣＣＨ（高速共用制御チャネル）の復号結果から抽出し、ＨＳ−ＰＤＳＣＨ処理部１−９に渡す。また、抽出した伝送パラメータの一部は、ＡＣＫ／ＮＡＣＫカウント部１−１２にも渡す。
【００３３】
自局宛てのＨＳ−ＰＤＳＣＨ（高速下りリンク共用チャネル）が基地局から送信されている場合には、ＨＳ−ＰＤＳＣＨ処理部１−９でＨＳ−ＰＤＳＣＨ（高速下りリンク共用チャネル）に対する受信処理を行う（図２の処理ステップ２−４）。受信処理には逆拡散、同期検波、ＲＡＫＥ合成、復調、誤り訂正復号など、伝送されている情報を得るために必要な処理が含まれる。その復号結果を基に誤り検出を行い、該誤り検出結果に応じて、ＡＣＫ／ＮＡＣＫ生成部１−１０で受信確認信号（ＡＣＫ／ＮＡＣＫ）を生成し（処理ステップ２−５）、ＡＣＫ／ＮＡＣＫカウント部１−１２及びＡＣＫ／ＮＡＣＫ符号化部１−１５に送出する。
【００３４】
ＡＣＫ／ＮＡＣＫカウント部１−１２は、入力された受信確認信号（ＡＣＫ／ＮＡＣＫ）が正常受信（ＡＣＫ）か非正常受信（ＮＡＣＫ）であるかを判定し（処理ステップ２−６）、正常受信（ＡＣＫ）及び非正常受信（ＮＡＣＫ）それぞれの受信回数を、重みテーブル１−１１に従う重み付けを行ってカウントする（処理ステップ２−７，２−８）。
【００３５】
重みテーブル１−１１による重み付けは、移動局から先に報告したフィードバック情報（ＣＱＩ）と実際に基地局から送信されてきた伝送フォーマット（伝送パラメータ）とのずれの大きさに応じて異なる重み付けを、受信確認信号（ＡＣＫ／ＮＡＣＫ）の受信回数に与えてカウントするために行われる。
【００３６】
ＡＣＫ／ＮＡＣＫカウント部１−１２でカウントされたＡＣＫ（正常受信）及びＮＡＣＫ（非正常受信）の回数のカウント値は、ＡＣＫ／ＮＡＣＫカウント値比較部１−１３で所定のしきい値と比較され（処理ステップ２−９，２−１０）、該しきい値を超えた場合は、ＳＩＲ−ＣＱＩ変換テーブル更新部１−１４により、ＳＩＲ−ＣＱＩ変換テーブル１−７の内容（ＳＩＲとＣＱＩとの対応）を書替える（処理ステップ２−１１，２−１２）。ＳＩＲ−ＣＱＩ変換テーブル１−７の更新を行った際には、ＡＣＫカウント値及びＮＡＣＫカウント値をリセットする（処理ステップ２−１３，２−１４）。
【００３７】
ＳＩＲ−ＣＱＩ変換テーブル１−７を参照してＣＱＩ生成部１−６で生成されたフィードバック情報（ＣＱＩ）は、ＣＱＩ符号化部１−１６により符号化された後、ＨＳ−ＤＰＣＣＨ多重部１−１７に送られ、また、ＡＣＫ／ＮＡＣＫ符号化部１−１５で符号化された受信確認信号（ＡＣＫ／ＮＡＣＫ）もＨＳ−ＤＰＣＣＨ多重部１−１７に送られ、それらはＨＳ−ＤＰＣＣＨ（高速上りリンク制御チャネル）に多重化され、送信部１−１８、送受信共用器１−２及びアンテナ１−１を経由して基地局へ送信される。
【００３８】
上述の誤り検出処理で誤りが検出されなかった場合、即ち、ＡＣＫ（正常受信）が生成された場合にはＡＣＫカウント値を加算して更新する。ＡＣＫカウント値の更新の際に、先に報告したフィードバック情報（ＣＱＩ）と、ＨＳ−ＳＣＣＨ処理部１−８から通知される実際にＨＳ−ＰＤＳＣＨ（高速下りリンク共用チャネル）の伝送に用いられた伝送パラメータとの違いに応じて重み付けを行い、ＡＣＫカウント値を更新する。
【００３９】
例えば、実際にＨＳ−ＰＤＳＣＨ（高速下りリンク共用チャネル）の伝送に用いられた伝送パラメータが、先に報告したフィードバック情報（ＣＱＩ）に対応する伝送パラメータと比べて、誤りが発生しにくい伝送パラメータであった場合には、ＡＣＫ（正常受信）となるもっともらしさ（尤度）が高いので、ＡＣＫカウント値に加算する際の重み付けを小さくし、逆に誤りが発生しやすい伝送パラメータであった場合には、ＡＣＫ（正常受信）となるもっともらしさ（尤度）が低いにも拘わらず、正常受信されたことになるので、ＡＣＫカウント値に加算する際の重み付けを大きくする。
【００４０】
ＡＣＫカウント値更新の結果、ＡＣＫカウント値が予め設定しておいた設定値以上になった場合には、ＳＩＲ−ＣＱＩ変換テーブル１−７のＳＩＲしきい値ＳＩＲｔｈ0〜ＳＩＲｔｈ２９（図３参照）を予め設定されている減少分Ｓｄｅｃだけ減少させ、ＳＩＲ−ＣＱＩ変換テーブル更新を行う。
【００４１】
上記誤り検出処理で誤りが検出された場合、即ち、ＮＡＣＫ（非正常受信）が生成された場合には、ＮＡＣＫカウント値を加算して更新する。ＮＡＣＫカウント値の更新時には、報告したフィードバック情報（ＣＱＩ）と、ＨＳ−ＳＣＣＨ処理部１−８から通知される実際にＨＳ−ＰＤＳＣＨ（高速下りリンク共用チャネル）の伝送に用いられた伝送パラメータとの違いに応じて重み付けを行い、ＮＡＣＫカウント値を更新する。
【００４２】
例えば、実際にＨＳ−ＰＤＳＣＨ（高速下りリンク共用チャネル）の伝送に用いられた伝送パラメータが、先に報告したフィードバック情報（ＣＱＩ）に対応する伝送パラメータと比べて、誤りが発生しにくい伝送パラメータであった場合には、ＮＡＣＫ（非正常受信）となるもっともらしさ（尤度）が低いにも拘わらず、ＮＡＣＫ（非正常受信）であったので、ＮＡＣＫカウント値に加算する際の重み付けを大きくし、逆に誤りが発生しやすい伝送パラメータであった場合には、ＮＡＣＫ（非正常受信）となるもっともらしさ（尤度）がより高いので、ＮＡＣＫカウント値に加算する際の重み付けを小さくする。
【００４３】
ＮＡＣＫカウント値更新の結果、ＮＡＣＫカウント値が予め設定しておいた設定値以上になった場合には、ＳＩＲ−ＣＱＩ変換テーブル１−７のＳＩＲしきい値ＳＩＲｔｈ0〜ＳＩＲｔｈ２９（図３参照）を、予め設定されている増加分Ｓｉｎｃだけ増加させ、ＳＩＲ−ＣＱＩ変換テーブル更新を行う。
【００４４】
ＡＣＫカウント値更新時又はＮＡＣＫカウント値更新時に用いる重み付けは、報告フィードバック情報（ＣＱＩ）と実際にＨＳ−ＰＤＳＣＨ（高速下りリンク共用チャネル）の伝送に用いられた伝送パラメータとの組合せについて、予め重み値格納した重みテーブルを用意しておき、該重みテーブルを参照して重み付けを行う構成とすることができる。
【００４５】
図４にＡＣＫカウント用の重みテーブルの一例を示し、図５にＮＡＣＫカウント用の重みテーブルの一例を示している。図４及び図５において、左端の列に各報告フィードバック情報（ＣＱＩ）を順番に格納し、各報告フィードバック情報（ＣＱＩ）のそれぞれの行の上段に実際の伝送に用いられた伝送パラメータであるトランスポートブロックサイズ（ＴＢＳ）を、その下段に重み値をそれぞれ格納している。
【００４６】
図４及び図５において、トランスポートブロックサイズ（ＴＢＳ）はデータブロックの長さを表している。データブロックの長さが小さいほど、即ち、重みテーブルの右側に行くほど、符号化率（＝符号化前のデータ長÷符号化後のデータ長）が小さくなるため、誤り率が小さくなる。
【００４７】
そのため、ＡＣＫカウント用の重みテーブルでは右の方へ行くほど重み値は小さく、ＮＡＣＫカウント用の重みテーブルでは右の方へ行くほど重み値は大きくなる。なお、図４及び図５に示すＡＣＫカウント用及びＮＡＣＫカウント用の各重みテーブルにおいて、各報告フィードバック情報（ＣＱＩ）に対して、該ＣＱＩ値に丁度適合した（即ち、予期した通りの伝送パラメータの）トランスポートブロックサイズ（ＴＢＳ）には、“１”の重み値が格納されている。
【００４８】
重みテーブルは、前述のようにＡＣＫカウント値更新用とＮＡＣＫカウント値更新用とをそれぞれ独立に用意しても良いが、ＡＣＫカウント値更新用とＮＡＣＫカウント値更新用とで重み値は逆方向に増減する関係があるため、何れか一方の重みテーブルを共通に用い、他方の重み値は、一方の重みテーブルの重み値から演算により得るような構成にすることもできる。例えば、重みテーブルとしてＡＣＫカウント値更新用のものを用意し、ＮＡＣＫカウント値の更新の際の重み値は、ＡＣＫカウント値更新用の重み値の逆数の値を用いる構成とすることができる。
【００４９】
ＳＩＲ−ＣＱＩ変換テーブル更新を行った際には、ＡＣＫ（正常受信）及びＮＡＣＫ（非正常受信）の発生の確率が以前のものと異なるものとなるため、ＡＣＫカウント値及びＮＡＣＫカウント値をリセットし、また、ＳＩＲ−ＣＱＩ変換テーブル更新以後に、フィードバック情報（ＣＱＩ）の報告値を選択する際には、更新された最新のＳＩＲ−ＣＱＩ変換テーブルを基にフィードバック情報（ＣＱＩ）を選択して報告する。
【実施例２】
【００５０】
本発明の第２の実施例は、受信したＨＳ−ＰＤＳＣＨ（高速下りリンク共用チャネル）に含まれるデータブロックが新規ブロックである場合に、前述の第１の実施例と同様に、誤り検出結果又は該誤り検出結果を基に生成した受信確認信号（ＡＣＫ／ＮＡＣＫ）を用いて、ＳＩＲ−ＣＱＩ変換テーブルの更新に用いるカウンタ値を更新するが、受信したＨＳ−ＰＤＳＣＨ（高速下りリンク共用チャネル）に含まれるデータブロックが再送ブロックである場合には、カウンタ値の更新は行わないようにしたものである。
【００５１】
本発明の第２の実施例の処理ステップのフローチャートを図６に示す。本発明の第２の実施例の処理ステップは、基本的に図２に示した第１の実施例の処理ステップと共通であり、第１の実施例の処理ステップに、ＨＳ−ＰＤＳＣＨ（高速下りリンク共用チャネル）の受信データブロックが新規ブロックであるか否かを判定する処理ステップ（６−１，６−２）を追加したものである。
【００５２】
処理ステップ（６−１，６−２）により新規ブロックであると判定された場合のみ、ＡＣＫカウント値又はＮＡＣＫカウント値を加算して更新し、新規ブロックでないと、即ち再送ブロックであると判定された場合は、何も処理をせず終了する。なお、図６において、図２の処理ステップと同様の処理ステップには同一の符号を付し、重複した説明は省略する。
【実施例３】
【００５３】
本発明の第３の実施例は、受信確認信号（ＡＣＫ／ＮＡＣＫ）のカウント値のリセット処理が第１の実施例と異なる。図７に第３の実施例の処理ステップのフローチャートを示す。図７に示すように、本発明の第３の実施例は、ＡＣＫカウント値が設定値以上になったことによりＳＩＲ−ＣＱＩ変換テーブル更新を行った場合に、ＡＣＫカウント値のみをリセットし（処理ステップ７−１）、ＮＡＣＫカウント値はそのままの状態とする。
【００５４】
また、ＮＡＣＫカウント値が設定値以上になったことによりＳＩＲ−ＣＱＩ変換テーブル更新を行った場合に、ＮＡＣＫカウント値のみをリセットし（処理ステップ７−２）、ＡＣＫカウント値はそのままの状態とする。図７において、図２の第１の実施例の処理ステップと同様の処理ステップには同一の符号を付し、重複した説明は省略する。
【００５５】
図８に本発明の第３の実施例の動作例のタイミングチャートを示す。同図に示す（イ）、（ロ）、（ハ）の点で、ＮＡＣＫカウント値が設定値以上になったことにより、ＳＩＲしきい値ＳＩＲｔｈ0〜ＳＩＲｔｈ２９を上げてＳＩＲ−ＣＱＩ変換テーブルの更新を行うが、そのとき、ＡＣＫカウント値をリセットすることなく、これまでのＡＣＫカウント値を保持する様子を示している。
【実施例４】
【００５６】
本発明の第４の実施例は、前述の第２の実施例と第３の実施例とを組み合わせたものである。本発明の第４の実施例の処理ステップのフローチャートを図９に示す。受信したＨＳ−ＰＤＳＣＨ（高速下りリンク共用チャネル）に含まれるデータブロックが新規ブロックであるか否かを判定し（処理ステップ６−１，６−２）、新規ブロックである場合に受信確認信号（ＡＣＫ／ＮＡＣＫ）を用いてＳＩＲ−ＣＱＩ変換テーブルの更新に用いるカウンタ値を更新し、受信したＨＳ−ＰＤＳＣＨ（高速下りリンク共用チャネル）に含まれるデータブロックが再送ブロックである場合には、カウンタ値の更新は行わない。
【００５７】
また、ＡＣＫカウント値が設定値以上になったことによりＳＩＲ−ＣＱＩ変換テーブル更新を行った場合にＡＣＫカウント値のみをリセットし（処理ステップ７−１）、ＮＡＣＫカウント値が設定値以上になったことによりＳＩＲ−ＣＱＩ変換テーブル更新を行った場合に、ＮＡＣＫカウント値のみをリセットする（処理ステップ７−２）。図９において、図２、図６又は図７の処理ステップと同様の処理ステップには同一の符号を付し、重複した説明は省略する。
【００５８】
図１０に第４の実施例の動作例のタイミングチャートを示している。図１０において、（ニ）、（ホ）、（ヘ）、（チ）の点のＡＣＫは再送ブロックのＡＣＫであるので、ＡＣＫカウント値の加算を行わず、また、（ト）の点のＮＡＣＫは再送ブロックのＮＡＣＫであるので、ＮＡＣＫカウント値の加算を行わない様子を示している。
【００５９】
また、ＮＡＣＫカウント値が設定値以上になったことにより、ＳＩＲしきい値ＳＩＲｔｈ0〜ＳＩＲｔｈ２９を上げてＳＩＲ−ＣＱＩ変換テーブルの更新を行うが、そのとき、ＡＣＫカウント値をリセットすることなく、これまでのＡＣＫカウント値を保持する動作は、図８に示した動作と同様である。
【実施例５】
【００６０】
本発明の第５の実施例は、再送ブロックのＡＣＫ（正常受信）及びＮＡＣＫ（非正常受信）について、重み付けを行ってＡＣＫカウント及びＮＡＣＫカウントを行うようにしたものである。図１１に第５の実施例の機能ブロック図を、図１２に処理ステップのフローチャートを、図１３に動作例のタイミングチャートを示している。
【００６１】
図１１に示すように第５の実施例は、再送回数監視部１１−１を備え、該再送回数監視部１１−１は、ＨＳ−ＳＣＣＨ処理部１−８から通知される伝送パラメータを基に、再送ブロックのＡＣＫ（正常受信）及びＮＡＣＫ（非正常受信）の回数を監視し、その回数をＡＣＫ／ＮＡＣＫカウント部１−１２に通知する。
【００６２】
受信したＨＳ−ＰＤＳＣＨ（高速下りリンク共用チャネル）に含まれるデータブロックが再送ブロックであり、誤り検出処理で誤りが検出されなかった場合、即ち、ＡＣＫ（正常受信）が生成された場合には、ＡＣＫカウント値を更新する。このとき、新規ブロックの場合のＡＣＫカウント値の加算に用いる重み値よりも小さな重み値（例えば、新規ブロックの場合のＡＣＫカウント値の加算に用いる重み値を再送回数で除算した値）を付けてＡＣＫカウント値を加算する（処理ステップ１２−１）。
【００６３】
受信したＨＳ−ＰＤＳＣＨ（高速下りリンク共用チャネル）に含まれるデータブロックが再送ブロックであり、誤り検出処理で誤りが検出された場合、即ち、ＮＡＣＫ（非正常受信）が生成された場合には、ＮＡＣＫカウント値を更新する。このとき、新規ブロックの場合のＮＡＣＫカウント値の加算に用いる重み値よりも大きな重み値（例えば、新規ブロックの場合のＮＡＣＫカウント値の加算に用いる重み値に再送回数を乗算した値）を付けてＮＡＣＫカウント値を加算する（処理ステップ１２−２）。
【００６４】
図１３に示す動作例において、（リ）、（ヌ）、（ル）、（ヲ）の点で受信される再送ブロックのＡＣＫ（正常受信）に対して、ＡＣＫカウント値の重み付け加算を行う例を示している。なお、ＮＡＣＫ（非正常受信）の後に別の新規ブロックが送信される場合もあるが、同図に示す動作例では、分かり易くするするためにＮＡＣＫの直後に再送ブロックが送信される場合の例を示している。
【実施例６】
【００６５】
本発明の第６の実施例は、アンテナ端１−１でのＨＳ−ＰＤＳＣＨ（高速下りリンク共用チャネル）のデータブロックの受信から、ＳＩＲ−ＣＱＩ変換テーブル１−１４の更新処理までに遅延時間が生じることを考慮に入れ、ＳＩＲ−ＣＱＩ変換テーブル１−７を更新した後は、該遅延時間内に生成された受信確認信号（ＡＣＫ／ＮＡＣＫ）に対しては、ＡＣＫカウント値及びＮＡＣＫ値の加算更新を行わないようにしたものである。
【００６６】
図１４に第６の実施例の機能ブロック図を示し、図１５に処理ステップのフローチャートを示し、図１６に動作例のタイミングチャートを示す。図１４に示すように第６の実施例は、ＡＣＫ／ＮＡＣＫカウント制御部１４−１を備え、該ＡＣＫ／ＮＡＣＫカウント制御部１４−１は、ＳＩＲ−ＣＱＩ変換テーブル更新部１−１４から、ＳＩＲ−ＣＱＩ変換テーブルの更新を行ったことを示す信号を受け取ると、上記遅延時間に相当する時間の間だけ、ＡＣＫ／ＮＡＣＫカウント部１−１２のカウント値更新動作を休止させる制御を行う。
【００６７】
図１５に示す処理ステップにおいて、ＡＣＫ／ＮＡＣＫカウント制御部１４−１によるカウント休止中か否かの判定（処理ステップ１５−１）に従い、カウント休止中でないと判定された場合にのみ、ＡＣＫ／ＮＡＣＫカウント更新を行うようにしている。図１５において他の処理ステップは、図２又は図７に示した処理ステップと同様であるので、同様の処理ステップに同一の符号を付し、重複した説明は省略する。
【００６８】
図１６に示す第６の実施例の動作例のタイミングチャートは、上記の遅延時間内に３個分の受信確認信号（ＡＣＫ／ＮＡＣＫ）が生成される例を示し、ＳＩＲしきい値ＳＩＲｔｈ0〜ＳＩＲｔｈ２９を更新した後、同図の細字のＡ又はＮで示す３個分の受信確認信号（ＡＣＫ／ＮＡＣＫ）は、ＡＣＫ／ＮＡＣＫカウントの更新には反映させず、太字の示すＡ又はＮで示す受信確認信号（ＡＣＫ／ＮＡＣＫ）のみがそれぞれＡＣＫカウント及びＮＡＣＫカウントに反映される様子を示している。なお、図中、ＳＩＲしきい値ＳＩＲｔｈ0〜ＳＩＲｔｈ２９の点線は、上述の遅延が無い場合の更新タイミングを示している。
【図面の簡単な説明】
【００６９】
【図１】本発明の第１の実施例の機能ブロック図である。
【図２】本発明の第１の実施例の処理ステップのフローチャートである。
【図３】本発明の第１の実施例の動作例のタイミングチャートである。
【図４】本発明のＡＣＫカウント用の重みテーブルの一例を示す図である。
【図５】本発明のＮＡＣＫカウント用の重みテーブルの一例を示す図である。
【図６】本発明の第２の実施例の処理ステップのフローチャートである。
【図７】本発明の第３の実施例の処理ステップのフローチャートである。
【図８】本発明の第３の実施例の動作例のタイミングチャートである。
【図９】本発明の第４の実施例の処理ステップのフローチャートである。
【図１０】本発明の第４の実施例の動作例のタイミングチャートである。
【図１１】本発明の第５の実施例の機能ブロック図である。
【図１２】本発明の第５の実施例の処理ステップのフローチャートである。
【図１３】本発明の第５の実施例の動作例のタイミングチャートである。
【図１４】本発明の第６の実施例の機能ブロック図である。
【図１５】本発明の第６の実施例の処理ステップのフローチャートである。
【図１６】本発明の第６の実施例の動作例のタイミングチャートである。
【図１７】ＨＳＤＰＡ関連の各物理チャネルのタイミングチャートである。
【符号の説明】
【００７０】
１−１  アンテナ
１−２  送受信共用器
１−３  ＣＰＩＣＨ処理部
１−４  ＣＰＩＣＨ＿ＳＩＲ測定部
１−５  ＨＳ−ＰＤＳＣＨ＿ＳＩＲ変換部
１−６  ＣＱＩ生成部
１−７  ＳＩＲ−ＣＱＩ変換テーブル
１−８  ＨＳ−ＳＣＣＨ処理部
１−９  ＨＳ−ＰＤＳＣＨ処理部
１−１０  ＡＣＫ／ＮＡＣＫ生成部
１−１１  重みテーブル
１−１２  ＡＣＫ／ＮＡＣＫカウント部
１−１３  ＡＣＫ／ＮＡＣＫカウント値比較部
１−１４  ＳＩＲ−ＣＱＩ変換テーブル更新部
１−１５  ＡＣＫ／ＮＡＣＫ符号化部
１−１６  ＣＱＩ符号化部
１−１７  ＨＳ−ＤＰＣＣＨ多重部
１−１８  送信部
【図１】
2005064963.tif 000003
【図２】
2005064963.tif 000004
【図３】
2005064963.tif 000005
【図４】
2005064963.tif 000006
【図５】
2005064963.tif 000007
【図６】
2005064963.tif 000008
【図７】
2005064963.tif 000009
【図８】
2005064963.tif 000010
【図９】
2005064963.tif 000011
【図１０】
2005064963.tif 000012
【図１１】
2005064963.tif 000013
【図１２】
2005064963.tif 000014
【図１３】
2005064963.tif 000015
【図１４】
2005064963.tif 000016
【図１５】
2005064963.tif 000017
【図１６】
2005064963.tif 000018
【図１７】
2005064963.tif 000019